(57)【要約】      （修正有）【課題】読取り位置に対して複数の所定情報が相対的に移動する際に、隣合う２つの所定情報のうちどちらを読取るのか、一瞬で直感的に読取るための手段を提供する。【解決手段】複数の時間数字情報１２ａが配置され回転する時間用円盤１１に重なる読取補助領域２０を設ける。読取補助領域２０は、先の順序となる時間数字情報１２ａが配置される位置と後の順序となる時間数字情報１２ａが配置される位置との方向にわたって配置され、読取らせる時間数字情報１２ａが、隣り合う時間数字情報１２ａのうち先の順序となる時間数字情報１２ａから後の順序となる時間数字情報１２ａに切替ったときに、切替った時間数字情報１２ａの位置に重なる時間切替重複領域２０１ａと、その切替ったときに、時間切替重複領域２０１ａから先の順序となる時間数字情報１２ａが配置される方向側に位置する時間読取拡張領域２０１ｂとを備える。【選択図】図２
2018036185.tif 000002
【特許請求の範囲】
【請求項１】
複数の所定情報が所定の順序に並べられて配置された表示部材と、
前記所定情報のうち少なくとも一の所定情報と重なることにより、前記一の所定情報を読取らせるのを補助する読取補助領域と、
前記表示部材と前記読取補助領域とを相対的に移動させる移動手段と、
を備えた情報表示装置であって、
前記読取補助領域は、
読取らせる所定情報が、隣り合う所定情報のうち先の順序となる所定情報から後の順序となる所定情報に切替ったときに、前記後の順序の所定情報に重なる切替重複領域と、
前記読取らせる所定情報が、隣り合う所定情報のうち前記先の順序となる所定情報から前記後の順序となる所定情報に切替ったときに、前記先の順序の所定情報に重なる読取拡張領域と、を備え、
前記読取拡張領域によって、前記読取補助領域を前記後の順序側よりも前記先の順序側が広範囲になるように拡張した
ことを特徴とする情報表示装置。
【請求項２】
前記読取拡張領域は、前記読取らせる所定情報が、隣り合う所定情報のうち前記先の順序となる所定情報から前記後の順序となる所定情報に切替ったときに、前記先の順序となる所定情報が前記先の順序側にはみ出した状態で重なることを特徴とする請求項１に記載の情報表示装置。
【請求項３】
前記切替重複領域と前記読取拡張領域とにわたり、前記後の順序側から前記先の順序側に沿う方向に延びるとともに、前記読取拡張領域における前記先の順序側の端部まで達しない表示補助線を設けたことを特徴とする請求項１又は請求項２に記載の情報表示装置。
【請求項４】
前記切替重複領域は、前記読取らせる所定情報が隣り合う所定情報のうち前記先の順序となる所定情報から前記後の順序となる所定情報に切替ったときに、前記後の順序となる所定情報の所定部位を指示する指示部を備えることを特徴とする請求項１に記載の情報表示装置。
【請求項５】
前記表示部材には、前記複数の所定情報の所定部位を示す表示がされていることを特徴とする請求項４に記載の情報表示装置。
【請求項６】
前記読取補助領域は、前記表示部材の相対的な移動にともなう前記所定情報の移動方向を示す方向表示を備えていることを特徴とする請求項１から請求項５のうちいずれか１項に記載の情報表示装置。
【請求項７】
前記複数の所定情報のうち前記読取補助領域に重なっていない部分には、前記複数の所定情報の視認を妨げる透明度または色彩の部材が配置されていることを特徴とする請求項１から請求項６のうちいずれか１項に記載の情報表示装置。
【請求項８】
前記情報表示装置は、前記表示部材と、前記読取補助領域と、前記移動手段とを収容するケースを備えており、
前記読取補助領域は、リング状のスペーサリングから、その内側に延出するように前記スペーサリングに一体に形成された部分に設けられており、
前記スペーサリングは、前記移動手段と前記ケースとの間に設けられていることを特徴とする請求項１から請求項７のうちいずれか１項に記載の情報表示装置。
【請求項９】
前記移動手段は、前記表示部材を前記読取補助領域に対して移動させるものであり、前
記表示部材は、時間用円盤と分用円盤であることを特徴とする請求項１から請求項８のうちいずれか１項に記載の情報表示装置。
【発明の詳細な説明】
【技術分野】
【０００１】
本発明は、時計をはじめとする情報表示装置に関する。
【背景技術】
【０００２】
アナログ時計に代表されるような情報表示装置の表示形式は、時分といった所定情報が配置された文字盤と、文字盤に対して相対的に移動する時針、分針といった指示針と、で構成されており、指示針が指す位置と文字盤の所定情報との位置関係によって、情報を読取らせて表示するものである。
【０００３】
このような表示形式に対して、指示針に対して時分といった所定情報が配置された円盤が移動して、その位置関係によって、情報を読取らせて表示するものもある。
【０００４】
指示針に対して所定情報が配置された円盤が移動するようなものの従来技術としては、特許文献１に開示されているようなものがある。図１６は、特許文献１に開示される時計１００を示したものである。これは以下のようなものである。
【０００５】
回転軸を中心に回転する時間を表示する時間用の円盤と、時間用の円盤内側に配置され、回転軸を中心に回転する分を表示する分用の円盤がある。そして、固定された指針が指す時分を読取らせるものである。
【先行技術文献】
【特許文献】
【０００６】
【特許文献１】特許第５６９９１６３号公報（段落００３７〜００４１，段落００６０，図１）
【発明の概要】
【発明が解決しようとする課題】
【０００７】
このような時計では、指針が円盤に配置された数字と数字との間を指すときには、どちらの数字を読むのかが直感的に判別し難い場合がある。例えば、図１４（Ｂ）は、特許文献１と同様な構成の時計で、指針１０４が、時間用の円盤１０２に配置された「１１」と「１２」との間を指している状態の一表示例を示したものである。このような状態の場合では、時間を「１１」と読むのか「１２」と読むのかが、一瞬では、判断し難い。一瞬で直感的に判断ができないのは、分用の円盤１０３に配置された「３０」が指針１０４で指されていること、「１１」と「１２」とには順位があること、時間用の円盤１０２の回転方向があること等の情報を総合的に考慮して判断を行うからである。特に、時間用の円盤１０２は回転速度も遅く、分用の円盤１０３のように目盛りも表示されていないので、一瞬で直感的に判断し難い。
【０００８】
そこで、本発明の目的は、上記の問題点に鑑み、時計をはじめとする情報表示装置において、読取り位置に対して複数の所定情報が相対的に移動する際に、隣合う２つの所定情報のうちどちらを読取るのか、直感的に読み取り易くするための手段を提供することである。
【課題を解決するための手段】
【０００９】
本願の情報表示装置は、複数の所定情報が所定の順序に並べられて配置された表示部材と、所定情報のうち少なくとも一の所定情報と重なることにより、一の所定情報を読取らせるのを補助する読取補助領域と、表示部材と読取補助領域とを相対的に移動させる移動
手段と、を備えた情報表示装置であって、読取補助領域は、読取らせる所定情報が、隣り合う所定情報のうち先の順序となる所定情報から後の順序となる所定情報に切替ったときに、後の順序の所定情報に重なる切替重複領域と、読取らせる所定情報が、隣り合う所定情報のうち先の順序となる所定情報から後の順序となる所定情報に切替ったときに、先の順序の所定情報に重なる読取拡張領域と、を備え、読取拡張領域によって、読取補助領域を後の順序側よりも先の順序側が広範囲になるように拡張したことを特徴とする。
【００１０】
読取拡張領域は、読取らせる所定情報が隣り合う所定情報のうち先の順序となる所定情報から後の順序となる所定情報に切替ったときに、先の順序となる所定情報が先の順序側にはみ出した状態で重なるようにしてもよい。
【００１１】
切替重複領域と読取拡張領域とにわたり、後の順序側から先の順序側に沿う方向に延びるとともに、読取拡張領域における先の順序側の端部まで達しない表示補助線を設けてもよい。
【００１２】
切替重複領域は、読取らせる所定情報が隣り合う所定情報のうち先の順序となる所定情報から後の順序となる所定情報に切替ったときに、後の順序となる所定情報の所定部位を指示する指示部を備えてもよい。
【００１３】
表示部材には、複数の所定情報の所定部位を示す表示がされていてもよい。
【００１４】
読取補助領域は、表示部材の相対的な移動にともなう所定情報の移動方向を示す方向表示を備えてもよい。
【００１５】
複数の所定情報のうち読取補助領域に重なっていない部分には、複数の所定情報の視認を妨げる透明度または色彩の部材が配置されてもよい。
【００１６】
情報表示装置は、表示部材と、読取補助領域と、移動手段とを収容するケースを備えており、読取補助領域は、リング状のスペーサリングから、その内側に延出するようにスペーサリングに一体に形成された部分に設けられており、スペーサリングは、移動手段とケースとの間に設けられていてもよい。
【００１７】
移動手段は、表示部材を読取補助領域に対して移動させるものであり、表示部材は、時間用円盤と分用円盤であってもよい。
【発明の効果】
【００１８】
複数の所定情報が所定の順序に並べられて配置された表示部材と、所定情報のうち少なくとも一の所定情報と重なることにより、一の所定情報を読取らせるのを補助する読取補助領域と、表示部材と読取補助領域とを相対的に移動させる移動手段と、を備えた情報表示装置であって、読取補助領域は、読取らせる所定情報が隣り合う所定情報のうち先の順序となる所定情報から後の順序となる所定情報に切替ったときに、当該後の順序の所定情報に重なる切替重複領域と、先の順序の所定情報に重なる読取拡張領域と、を備え、読取拡張領域によって、読取補助領域を後の順序側よりも先の順序側が広範囲になるように拡張したことにより、読取り位置に対して複数の所定情報が相対的に移動する際に、隣合う２つの所定情報のうちどちらを読取るのか、直感的に読み取り易くすることができる。
【００１９】
加えて、読取拡張領域を、読取らせる所定情報が隣り合う所定情報のうち先の順序となる所定情報から後の順序となる所定情報に切替ったときに、先の順序となる所定情報が先の順序側にはみ出した状態で重なるようにしたことより、所定情報が読取らせる必要があるときから、読取らせる必要がなくなったときに切り替わったことを明確することができ
る。
【００２０】
加えて、切替重複領域と読取拡張領域とにわたり、後の順序側から先の順序側に沿う方向に延びるとともに、読取拡張領域における先の順序側の端部まで達しない表示補助線を設けることにより、読取るべき所定情報の値を認識し易くすることができる。
【００２１】
加えて、切替重複領域が、読取らせる所定情報が隣り合う所定情報のうち先の順序となる所定情報から後の順序となる所定情報に切替ったときに、当該後の順序となる所定情報の所定部位を指示する指示部を備えることにより、さらに読取り易くすることができる。
【００２２】
加えて、表示部材に、複数の所定情報の所定部位を示す表示がされていることにより、時計であれば正時といった所定情報ちょうどであることを、より、正確に把握することができる。
【００２３】
加えて、読取補助領域が、表示部材の相対的な移動にともなう所定情報の移動方向を示す方向表示を備えることにより、表示部材と読取補助領域との相対的な移動方向が把握でき、より読み取り易くすることができる。
【００２４】
加えて、複数の所定情報のうち読取補助領域に重なっていない部分に、複数の所定情報の視認を妨げる透明度または色彩の部材が配置されていることにより、読取る付近の所定情報だけを強調し、読取り位置に視線をより早く向けることができる。
【００２５】
加えて、情報表示装置は、表示部材と、読取補助領域と、移動手段とを収容するケースを備えており、読取補助領域は、リング状のスペーサリングから、その内側に延出するようにスペーサリングに一体に形成された部分に設けられており、スペーサリングは、移動手段とケースとの間に設けられていることにより、スペースを有効に使用することができる。
【００２６】
加えて、移動手段が、表示部材を読取補助領域に対して移動させるものであり、表示部材は、時間用円盤と分用円盤であるので、時分を直感的に読み取り易くすることができる。
【図面の簡単な説明】
【００２７】
【図１】本発明の第１の実施形態における全体図である。
【図２】本発明の第１の実施形態における拡大図である。
【図３】本発明の第２の実施形態における拡大図である。
【図４】本発明の第３の実施形態における拡大図である。
【図５】本発明の第４の実施形態における拡大図である。
【図６】本発明の第５の実施形態における拡大図である。
【図７】本発明の第６の実施形態における拡大図である。
【図８】本発明の第７の実施形態における拡大図である。
【図９】本発明の第８の実施形態における拡大図である。
【図１０】本発明の第９の実施形態における全体図である。
【図１１】本発明の第９の実施形態における表示補助領域の説明図である。
【図１２】本発明の第９の実施形態における断面図である。
【図１３】本発明の第９の実施形態における拡大図である。
【図１４】従来技術の説明図である。
【図１５】本発明の第１０の実施形態における説明図である。
【図１６】従来技術の説明図である。
【発明を実施するための形態】
【００２８】
以下、本発明の実施の形態につき図面を参照する等して説明する。以下は、本発明の一の実施の形態であって本発明を限定するものではない。
【００２９】
〔第１の実施形態〕
以下、本発明の情報表示装置の第１の実施形態について図面の図１および図２と共に説明する。
【００３０】
図１は、本発明の第１の実施形態における情報表示装置２の説明図である。図１（Ａ）は、情報表示装置２を腕時計１に適用した図である。腕時計１では、情報表示装置２は、ケース３の中に配置されて、バンド４にて腕に装着される。５は竜頭である。
【００３１】
図１（Ｂ）は、情報表示装置２の全体図である。情報表示装置２は、中心に配置された中心軸Ｃを回転軸として回転する秒針６、５秒間隔に配置された秒数と１秒間隔に配置された目盛りとが表示された見返しリング７を備えている。見返しリング７は固定されており、秒針６が回転して現在の秒を指すことで、現在の秒数が表示される。
【００３２】
分用円盤８および時間用円盤１１は、中心軸Ｃの周りを時計回りの方向に回転するように構成されている。秒針６、分用円盤８および時間用円盤１１は図示されないムーブメントにより回転移動する。ムーブメントは本発明の移動手段に相当する。
【００３３】
分用円盤８には、図１に示すように、５分間隔に配置された数字の分数字情報９と、１分間隔に配置された目盛りの分目盛情報１０が表示されている。
【００３４】
時間用円盤１１には、図１に示すように、時間を表す１〜１２までの数字の時間数字情報１２ａが等間隔に順番に並んで配置されている。
【００３５】
これらの時間数字情報１２ａは、本発明の各々の順を定めることが可能であって、所定の順序で並べられる複数の所定情報に相当する。時間用円盤１１は、本発明の表示部材に相当する。
【００３６】
図２（Ａ）は、１０時００分を示している。図２（Ｂ）は、１０時３０分を示している。図２（Ｃ）は、１０時５５分を示している。
【００３７】
本実施の形態の時分の読取は、図１および図２に示すように九時方向の位置（デザイン上の理由により九時方向より少し下の位置、以下同様）で行われる。時間用円盤１１に配置された時間数字情報１２ａは、九時方向に位置したときに当該時間数字情報１２ａが正立するように時間用円盤１１に形成されている。使用者は、時間数字情報１２ａが九時方向に位置した状態、あるいは当該時間数字情報１２ａが正立した状態を視認することで、読取るべき時間数字情報１２ａが先の順序となる時間数字情報１２ａからその後の順序となる時間数字情報１２ａに切替ったことを直感的に認識することができる。
【００３８】
分用円盤８に配置された分数字情報９も、九時方向に位置したときに当該分数字情報９が正立するように分用円盤８に形成されている。
【００３９】
時間用円盤１１と分用円盤８は、時間用円盤１１の時間数字情報１２ａが九時位置で正立した回転位置のときに、分用円盤８の分数字情報９も正立する回転位置になるように、中心軸Ｃに取り付けられている。
【００４０】
情報表示装置２は、図示しない風防部材で覆われており、全体が視認できるようになっ
ている。風防部材の所定の位置（図１および図２に示す本実施の形態では九時方向の位置）には、読取補助領域２０が設けられている。読取補助領域２０は、時間用円盤１１および分用円盤８に重なり、重なった時間数字情報１２ａおよび分数字情報９が、読取補助領域２０に重ならないものより目立つように設けられており、時間数字情報１２ａや分数字情報９を読取らせるのを補助している。
【００４１】
読取補助領域２０は、風防部材にシールを貼付するなどして形成する他、風防部材の表面や裏面に印刷して形成しても良いし、風防部材の読取補助領域２０に該当する部分だけを別に形成し、読取補助領域２０そのものが風防部材の機能を発揮するようにしても良い。
【００４２】
読取補助領域２０は、図１および図２では、グレーで塗りつぶされた領域として記載されている。
【００４３】
図２に示すように、読取補助領域２０のうち、時間用円盤１１に重なるものが時間読取補助領域２０１であり、分用円盤８に重なるものが分読取補助領域２０２である。
【００４４】
時間読取補助領域２０１は、複数の時間数字情報１２ａのうち先の順序となる時間数字情報１２ａが配置される位置と後の順序となる時間数字情報１２ａが配置される位置との方向（図２（Ａ）では「９」が配置されている位置と「１０」が配置されている位置との上下方向）にわたって配置されている。時間読取補助領域２０１は、時間用円盤１１の回転方向に沿うような形状となっている。
【００４５】
本実施形態の時間読取補助領域２０１は、本発明の読取補助領域に相当する。
【００４６】
時間読取補助領域２０１は、時間切替重複領域２０１ａと時間読取拡張領域２０１ｂとで構成されている。
【００４７】
時間切替重複領域２０１ａは、読取らせる時間数字情報１２ａが隣り合う時間数字情報１２ａのうち先の順序となる時間数字情報１２ａから後の順序となる時間数字情報１２ａに切替ったときに当該切替った時間数字情報１２ａの位置に重なる領域である。具体的には、図２（Ａ）に示された状態の「１０」は、先の順序となる「９」から「１０」に切替った時間数字情報であり、当該切替った「１０」をすべて含み切替る前の「９」を含まない領域が時間切替重複領域２０１ａである。図２（Ａ）に示すように、時間切替重複領域２０１ａの横方向の長さは、視認される時間用円盤１１の横方向の長さと同等の長さで時間数字情報１２ａの横方向の長さより十分に長くなっている。また、時間切替重複領域２０１ａの縦方向の長さは、切替ったときに当該切替った時間数字情報１２ａの縦方向の長さより若干長くなっている。
【００４８】
本実施形態の時間切替重複領域２０１ａは、本発明の切替重複領域に相当する。
【００４９】
時間切替重複領域２０１ａの時間用円盤１１の後の順序の時間数字情報１２ａが配置される方向側の端部である時間情報後順側端部２０１ｄは、図２（Ｂ）および図２（Ｃ）に示すように、九時方向に平行に配置されている。
【００５０】
時間読取拡張領域２０１ｂは、時間切替重複領域２０１ａから時間用円盤１１に配置された複数の時間数字情報１２ａのうち先の順序となる時間数字情報１２ａが配置される方向側に位置している。具体的には、図１および図２に示すように、時間切替重複領域２０１ａの上方に隣接し、時間用円盤１１の回転方向に沿って位置している。
【００５１】
図２（Ａ）乃至図２（Ｃ）に示すように、時間読取拡張領域２０１ｂの横方向の長さは、時間切替重複領域２０１ａと同じであり視認される時間用円盤１１の横方向の長さと同等の長さで時間数字情報１２ａの横方向の長さより十分に長くなっている。
【００５２】
このように、時間読取補助領域２０１は、読取らせる時間数字情報１２ａが隣り合う時間数字情報１２ａのうち先の順序となる時間数字情報１２ａから後の順序となる時間数字情報１２ａに切替ったときに、当該後の順序側の時間数字情報１２ａと重なる時間切替重複領域２０１ａと、先の順序側の時間数字情報１２ａと重なる時間読取拡張領域２０１ｂとを有している。すなわち、時間読取補助領域２０１は、時間読取拡張領域２０１ｂによって、後の順序側よりも先の順序側が広範囲になるように拡張されている。
【００５３】
時間読取拡張領域２０１ｂの時間用円盤１１の先の順の時間数字情報１２ａが配置された方向側の端部である時間情報先順側端部２０１ｃは、図２（Ｂ）および図２（Ｃ）に示すように、切替った時間数字情報１２ａ「１０」が次の順の時間数字情報１２ａ「１１」に切替るために移動しても時間読取補助領域２０１に重なる位置に配置されている。また、時間情報先順側端部２０１ｃは、九時方向に対してほぼ中心軸Ｃを中心として時間用円盤１１の先の順の時間数字情報１２ａが配置された方向（時間用円盤１１の回転方向）に回転した位置に配置されている。
【００５４】
本実施形態では、時間情報先順側端部２０１ｃの位置は、図２（Ａ）に示すように時間数字情報１２ａが「１０」に切替った際（１０時００分）には当該切替った時間数字情報１２ａ「１０」の先の順序の時間数字情報１２ａ「９」の上部の一部が時間読取拡張領域２０１ｂからはみ出すように配置されている。換言すると、時間読取拡張領域２０１ｂは、読取らせる時間数字情報１２ａが隣り合う時間数字情報１２ａのうち先の順序となる時間数字情報１２ａから後の順序となる時間数字情報１２ａに切替ったときに、先の順序となる時間数字情報１２ａが先の順序側にはみ出した状態で重なる範囲に形成されている。また、図２（Ｃ）に示すように時間数字情報１２ａ「１０」が、次の順（後の順序）の時間数字情報１２ａ「１１」に切替る少し前の位置に移動した際（１０時５５分）でも読取るべき時間数字情報１２ａ「１０」がすべて時間読取拡張領域２０１ｂに重なるように配置されている。
【００５５】
本実施形態の時間読取拡張領域２０１ｂは、本発明の読取拡張領域に相当する。
【００５６】
時間切替重複領域２０１ａと時間読取拡張領域２０１ｂとで構成される時間読取補助領域２０１は、時間切替重複領域２０１ａの上下方向の中心位置を通る九時方向の直線を境として、非対称の形状となっている。
【００５７】
なお、時間数字情報１２ａが切替る直前（例えば５９分）のときにおいても読取るべき時間数字情報１２ａである「１０」がすべての部分で、時間読取補助領域２０１に重なっているようにすることが、理想的であるが、必ずしもそのようにしなくても良い。要は、読取るべき時間数字情報１２ａが移動したとしても当該時間数字情報１２ａが、所定の移動範囲で時間読取補助領域２０１に重なって強調されていれば、その移動範囲内では読取るべき時間数字情報１２ａを一瞬で直感的に読取ることができるのである。そうなるように、時間読取拡張領域２０１ｂの時間情報先順側端部２０１ｃの位置を設定すれば良い。
【００５８】
このように時間切替重複領域２０１ａから先の順序となる時間数字情報１２ａが配置される方向側に時間読取拡張領域２０１ｂを配置しているので、読取らせる時間数字情報１２ａが隣り合う時間数字情報１２ａのうち先の順序となる時間数字情報１２ａから後の順序となる時間数字情報１２ａに切替ったときから、当該切替った時間数字情報１２ａがその後の順序となる時間数字情報１２ａに切替るために移動しても、値を読まれるべき時間
数字情報１２ａが時間読取補助領域２０１に重なり強調されることになり、一瞬で直感的に読み取られるべき当該時間数字情報１２ａの値を読むことができる。
【００５９】
分読取補助領域２０２は、図２示すように、分用円盤８に配置された分目盛情報１０が九時方向に位置したとき（デザイン上の理由により少し下に位置している。以下、同様）に重なる領域となっている。
【００６０】
また、分用円盤８に配置された分数字情報９が九時方向に位置したとき（デザイン上の理由により少し下に位置している。以下、同様）に当該分数字情報９が正立するようになっており、これにより、使用者は、当該分数字情報９が読取るべき値としてちょうどであることを認識する。そして、分読取補助領域２０２は、この正立した分数字情報９が十分含まれるように配置された領域となっている。
【００６１】
具体的には、分読取補助領域２０２の縦方向の長さは、時間切替重複領域２０１ａの縦方向の長さと同じであって、分読取補助領域２０２の横方向の長さは、分用円盤８に配置された分数字情報９と分目盛情報１０との横方向の長さより十分大きい長さとなっている。
【００６２】
分読取補助領域２０２の分用円盤８の先の順の分数字情報９が配置された側の分情報先順側端部２０２ｃおよび分読取補助領域２０２の分用円盤８の後の順の分数字情報９が配置された側の分情報後順側端部２０２ｄは、九時方向に略平行に配置されている。
【００６３】
読取り位置である九時方向の位置（デザイン上の理由により少し下に位置している。以下、同様）に対応する風防部材には、図１および図２に示すように、分用円盤８および時間用円盤１１をそれぞれ横切るように、時間用指示線２１および分用指示線２２を表示しても良い。時間用指示線２１および分用指示線２２は、分用円盤８および時間用円盤１１のそれぞれを横切るものでなくても良く、図１および図２に示した時間用指示線２１および分用指示線２２は、それぞれの指示線の一部が表示されていても良い。これらの指示線が全く表示されていない場合でも視線に対して読取り位置である九時方向の位置（左腕に時計を装着し、左腕を視認位置に動かして読み取る場合、中心軸Ｃから左方向の位置）だけ、時間数字情報１２ａと分数字情報９が正立するとともに、時間読取補助領域２０１と分読取補助領域２０２とが設けられているので、時分を読取ることは可能であるが、表示されていればより正確な読取が可能となる。
【００６４】
時間用指示線２１および分用指示線２２を表示する場合、例えば、風防部材の内面に、印刷で記すことができる。また、風防部材の外面に印刷されても良いし、円盤と風防部材との間に設けられても良い。
【００６５】
時間用指示線２１および分用指示線２２は、時間読取補助領域２０１内および分読取補助領域２０２内に表示されている必要もない。また、時間用指示線２１および分用指示線２２は、分用円盤８および時間用円盤１１に重なる箇所だけでなく、重ならない箇所まで延長して表示されても良い。
【００６６】
図２に示すように、時間用指示線２１は、第一時間用指示線２１ａと第二時間用指示線２１ｂとで表示されている。分用指示線２２は、第一分用指示線２２ａと第二分用指示線２２ｂとで表示されている。
【００６７】
第一時間用指示線２１ａと第一分用指示線２２ａは、それぞれ時間用円盤１１と分用円盤８に重なる箇所に配置されている。第二時間用指示線２１ｂは、時間用円盤１１に一部重なるように、第二分用指示線２２ｂは、分用円盤８に重ならないように配置されている
。第一時間用指示線２１ａと第一分用指示線２２ａの形状は、直線である。第二時間用指示線２１ｂと第二分用指示線２２ｂの形状は、三角形である。
【００６８】
時間用指示線２１は、時間用円盤１１に配置された読取らせる時間数字情報１２ａが隣り合う時間数字情報１２ａのうち先の順序となる時間数字情報１２ａ（例えば「９」）から後の順序となる時間数字情報１２ａ（例えば「１０」）に切替ったときに、後の順序となる時間数字情報１２ａ（例えば「１０」）の上下方向の中心位置を指示する位置に設けられている。分用指示線２２ａについても同様である。
【００６９】
したがって、これらの時間用指示線２１、分用指示線２２がそれぞれ指す位置と、時間用円盤１１に配置された時間数字情報１２ａ並びに分用円盤８に配置された数字の分数字情報９および目盛りの分目盛情報１０との位置関係によって時分が、より、正確に読取れるようになっている。
【００７０】
この時間用指示線２１および分用指示線２２は、本願発明の指示部に相当する。
【００７１】
分用指示線２２が、目盛りの分目盛情報１０ちょうどを指したときは、当該分目盛情報の値を読み取る。分用指示線２２が、隣り合う分目盛情報１０の間を指すときには、隣り合う二つの分目盛情報１０のうち先の順序となる値を読取る。
【００７２】
時間用指示線２１が、時間数字情報１２ａの上下方向の中心位置である中心部を指すときには、当該中心部の時間数字情報１２ａを読み取る。時間用指示線２１が、隣り合う時間数字情報１２ａの中心部と中心部との間を指すときには、隣り合う時間数字情報１２ａのうち先の順序となる時間数字情報１２ａを読取る。この時間数字情報１２ａの上下方向の中心位置である中心部は、本発明の所定情報の所定部位に相当する。
【００７３】
なお、この実施の形態では、時間数字情報１２ａの上下方向の中心位置である中心部としているが、時間数字情報１２ａの上端部や下端部などの所定の位置としても良い。
【００７４】
図２を例として時間用円盤１１の読取り方を具体的に説明する。
【００７５】
図２（Ａ）では正時の１０時００分を表しており、時間用指示線２１が、「１０」の時間数字情報１２ａの上下方向の中心位置である中心部を指している。この場合には、時間用指示線２１が指す中心部の時間数字情報１２ａの値の「１０」を読み取るべき表示状態である。
【００７６】
この位置では、時間数字情報１２ａの値である「１０」は、すべての部分で時間読取補助領域２０１に重なっている。より具体的には、時間数字情報１２ａの「１０」は、時間切替重複領域２０１ａに重なって表示されている。
【００７７】
このような、時間用指示線２１および時間読取補助領域２０１と、時間数字情報１２ａの値である「１０」との位置関係から、一瞬で直感的に時間数字情報１２ａの「１０」の値を読むことができる。
【００７８】
図２（Ｂ）では１０時３０分を表しており、時間用指示線２１が、「１０」の時間数字情報１２ａの中心部と「１１」の時間数字情報１２ａの中心部との間を指している。この場合には、「１０」の時間数字情報１２ａと「１１」の時間数字情報１２ａのうち、先の順序となる「１０」の時間数字情報１２ａである「１０」を読取るべき表示状態である。
【００７９】
この位置で、読取るべき時間数字情報１２ａの値である「１０」は、すべての部分で時
間読取補助領域２０１に重なっている。より具体的には、時間数字情報１２ａの「１０」の大半は、時間読取拡張領域２０１ｂに重なり、下の一部が時間切替重複領域２０１ａに重なって表示されている。また、読取るべき時間数字情報１２ａの「１０」の次の時間数字情報１２ａの「１１」は、一部の部分でしか時間切替重複領域２０１ａに重なっていない。このため、一瞬で直感的に時間数字情報１２ａの「１０」の値を読むことができる。
【００８０】
図２（Ｃ）では１０時５５分を表しており、時間用指示線２１が、「１０」の時間数字情報１２ａの中心部と「１１」の時間数字情報１２ａの中心部との間を指している。この場合には、「１０」の時間数字情報１２ａと「１１」の時間数字情報１２ａのうち、先の順序となる「１０」の時間数字情報１２ａである「１０」を読取るべき表示状態である。
【００８１】
この位置で、読取るべき時間数字情報１２ａの値である「１０」は、すべての部分で時間読取補助領域２０１に重なっている。より具体的には、時間数字情報１２ａの「１０」は、時間読取拡張領域２０１ｂに重なって表示されている。また、読取るべき時間数字情報１２ａの「１０」の次の読取るべきでない時間数字情報１２ａの「１１」は、すべての部分が時間切替重複領域２０１ａに重なっていない。このため、一瞬で直感的に時間数字情報１２ａの「１０」の値を読むことができる。
【００８２】
時間読取補助領域２０１を設けなければ、時間用指示線２１と時間数字情報１２ａとの位置関係だけで時間数字情報１２ａを読取ることとなる。そのため、図２（Ｃ）では、時間用指示線２１に重なる時間数字情報１２ａの値である「１１」を、時間用指示線２１が指す時間として誤認しやすくなってしまう。このように、時間読取補助領域２０１を設けることにより、時間用指示線２１が指す時間の誤認を防ぐことができる。
【００８３】
〔第２の実施形態〕
以下、本発明の情報表示装置２の第２の実施形態について図面の図３と共に説明する。なお、第１の実施形態と同様の部分については説明を省略し、主に異なる部分について説明する。
【００８４】
第２の実施形態は、第１の実施形態における時間数字情報１２ａの上下方向の中心位置である中心部が時間用円盤１１に表示されている点で異なる。また、第一時間用指示線２１ａの態様も異なる。さらに、時間読取補助領域２０１の外側に表示補助線２３が表示されている点でも異なる。
【００８５】
図３に示すように、時間数字情報１２ａの中心部の表示である中心部表示１２ｂは、直線として表示されている。この中心部表示１２ｂが第一時間用指示線２１ａと重なることで、正時を明確に表示することができる。この中心部表示１２ｂは、本発明の所定情報の所定部位を示す表示に相当する。
【００８６】
第一時間用指示線２１ａは、内部が塗りつぶされていない透明とされた中抜き直線となっている。よって、時間数字情報１２ａの中心部表示１２ｂの直線と重なることで、第一時間用指示線２１ａが強調表示されるようになり、より明確に認識できるようになっている。
【００８７】
時間読取補助領域２０１の外側に設けられた表示補助線２３は、時間用円盤１１の先の順序の時間数字情報１２ａが配置された方向（時間用円盤１１の回転方向）を示す矢印で表示されている。その形状も時間用円盤１１の回転方向に沿った形状となっている。この表示補助線２３により、時間用円盤１１の回転方向を認識し、読むべき時間数字情報１２ａを誤認しないように補助することができる。表示補助線２３は、風防部材に配置しているが、見返しリング７に配置しても良い。
【００８８】
この表示補助線２３は、本発明の方向表示に相当する。
【００８９】
表示補助線２３は、時間切替重複領域２０１ａと時間読取拡張領域２０１ｂとにわたり、後の順序側から先の順序側に沿う方向に延びるとともに、時間読取拡張領域２０１ｂにおける先の順序側の端部まで達しないように設けられている。具体的には、表示補助線２３は、時間用指示線２１の延長上の位置を始点として、当該時間用指示線２１に時間数字情報１２ａの中心部表示１２ｂが重なった際に当該重なった時間数字情報１２ａの先の順序の時間数字情報１２ａの中心部表示１２ｂの延長上の位置には達しない位置を終点とする長さで表示されている。これによって、読取るべき時間数字情報１２ａの中心部表示１２ｂを延長した線が表示補助線２３に重なったときに、読取るべきではない先の順序の時間数字情報１２ａが、表示補助線２３の先端部から外れた回転位置にあるという印象を与えることにより、読取るべき時間数字情報１２ａの値を認識しやすくすることができる。
【００９０】
図３により、具体的に説明する。図３（Ａ）は１０時００分を表示している。読取るべき時間数字情報１２ａの値の「１０」の中心部表示１２ｂを延長した線（時間用指示線２１を延長した線）は、表示補助線２３の始点と重なっている。このとき、「９」の時間数字情報１２ａの中心部表示１２ｂを延長した線は、表示補助線２３とは重なっていない。図３（Ｂ）は１０時３０分を表示している。読取るべき時間数字情報１２ａの値の「１０」の中心部表示１２ｂを延長した線は、表示補助線２３と重なっている。図３（Ｃ）は１０時５５分を表示している。読取るべき時間数字情報１２ａの値の「１０」の中心部表示１２ｂを延長した線は、表示補助線２３の終点手前で重なり、１１時００分となった際には、「１０」の中心部表示１２ｂを延長した線は、表示補助線２３とは重ならない。このように、中心部表示１２ｂの延長した線と表示補助線２３とが重なる時間数字情報１２ａを読取るべき値とすることができる。すなわち、仮に、時間読取拡張領域２０１ｂと時間数字情報１２ａの値との位置関係から、読取るべき時間数字情報１２ａの値を判別し難い場合であっても、中心部表示１２ｂの延長した線と表示補助線２３との位置関係から、より、正確に、読取るべき時間数字情報１２ａの値を判別することができる。
【００９１】
〔第３の実施形態〕
以下、本発明の情報表示装置２の第３の実施形態について図面の図４と共に説明する。なお、第１、２の実施形態と同様の部分については説明を省略し、異なる部分について説明する。
【００９２】
図４に示すように、第３の実施形態では、第２の実施形態における矢印で表示された表示補助線２３が、矢印ではないものとしてされたものである。
【００９３】
このようにすると、表示補助線２３の表示をシンプルにすることができる。また、時間用指示線２１の延長上から、時間用円盤１１の先の順の時間数字情報１２ａが配置された方向（時間用円盤１１の回転方向）にわたって表示されているので、矢印でなくとも時間用円盤１１の回転方向を示唆していることになる。
【００９４】
この実施形態の場合も、図４（Ａ）〜図４（Ｃ）に示したように、正時、３０分、５５分のそれぞれの時刻の表示状態において、読取るべき時間数字情報１２ａの値を、一瞬で直感的に読むことができる。
【００９５】
〔第４の実施形態〕
以下、本発明の情報表示装置２の第４の実施形態について図面の図５と共に説明する。なお、第１乃至３の実施形態と同様の部分については説明を省略し、異なる部分について説明する。
【００９６】
図５に示すように、第４の実施形態では、情報表示装置２の時間用円盤１１及び分用円盤８を覆う図示しない風防部材における時間読取補助領域２０１および分読取補助領域２０２の読取補助領域２０以外の部分を不透明とする難視認部２４を備えている。この難視認部２４を設けることで、読取補助領域２０以外の情報に視線が向かないようになり、より早く読むべき情報に視線が向かうようになっている。
【００９７】
難視認部２４を不透明にするには、風防部材に不透明のシールを貼付しても良いし、風防部材の当該部分を不透明部材としたり、不透明に着色しても良い。本実施例では、難視認部２４を完全に不透明として、情報を視認できないようにしているが、読取補助領域２０に重なる情報よりも視認し難い透明度にしても良い。また、風防部材における難視認部２４を例えば時間数字情報１２ａと同じ色の半透明色に着色して、時間数字情報１２ａが難視認部２４に重なることで、時間数字情報１２ａが視認し難いようにしても良い。また、風防部材と時間用円盤１１および分用円盤８との間に、不透明な円盤部材を配置しても良い。
【００９８】
本願発明の複数の所定情報が読取補助領域に重なっておらず、視認困難となっている部分は、この難視認部２４に相当する。
【００９９】
なお、第４の実施形態では、第２、第３の実施形態と異なり、時間数字情報１２ａの中心部表示１２ｂが、内部が塗りつぶされていない透明とされた中抜き直線となっている。このようにすると、内部が塗りつぶされたものより中心部表示１２ｂの表示が目立ちにくい。
【０１００】
この実施形態の場合も、図５（Ａ）〜図５（Ｃ）に示したように、正時、３０分、５５分のそれぞれの時刻の表示状態において、読取るべき時間数字情報１２ａの値を、一瞬で直感的に読むことができる。
【０１０１】
〔第５の実施形態〕
以下、本発明の情報表示装置２の第５の実施形態について図面の図６と共に説明する。なお、第１乃至４の実施形態と同様の部分については説明を適宜省略し、異なる部分について説明する。
【０１０２】
第５の実施形態では、時間用円盤１１の各々の時間数字情報１２ａの間であって、各々の時間用円盤１１の先の順序の時間数字情報１２ａが配置される側には、時間数字情報１２ａ間を区切る境界部１２ｃが設けられている。境界部１２ｃは、時間用円盤１１の放射状の直線で表示されている。境界部１２ｃは、図６（Ａ）の「１０」について示すように、時間数字情報１２ａが九時方向に位置したとき、すなわち時間用指示線２１に時間数字情報１２ａの上下方向の中心部が指されたときにおいて、当該時間数字情報１２ａの先の順序の時間数字情報１２ａが配置された側（図では上方側）であって、時間用指示線２１に略平行な線となっている。
【０１０３】
また、境界部１２ｃの両端は、時間数字情報１２ａの内側と外側とにわたって位置しており、隣合う時間数字情報１２ａの境界部１２ｃの両端同士が円弧線で繋がれており、境界部１２ｃと円弧線とで枠形状となっている。当該枠形状の中に各時間数字情報１２ａが配置されている。
【０１０４】
この境界部１２ｃと時間読取補助領域２０１との関係によって、読取るべき時間数字情報１２ａをさらに容易に読取ることができるようになっている。
【０１０５】
図６（Ａ）は、情報表示装置２が１０時００分を表示している図である。読取るべき「１０」の時間数字情報１２ａの境界部１２ｃは、その先の順序の「９」の時間数字情報１２ａとの間であって、「１０」の上方である先の順序の時間数字情報１２ａ側に位置しており、時間読取補助領域２０１に重なって表示されている。一方、「１０」の先の順序の時間数字情報１２ａである「９」の境界部１２ｃは、時間読取拡張領域２０１ｂの時間情報先順側端部２０１ｃより時間用円盤１１の先の順序の時間数字情報１２ａが配置された方向（図では上方側の時間用円盤１１の回転方向）に位置しており、時間読取補助領域２０１とは重ならない。
【０１０６】
図６（Ｂ）は、情報表示装置２が１０時３０分を表示している図である。読取るべき「１０」の時間数字情報１２ａの境界部１２ｃは、時間読取拡張領域２０１ｂに重なって表示されている。また、「１０」の後の順序の時間数字情報１２ａである「１１」の境界部１２ｃは、時間切替重複領域２０１ａに重なって表示されている。
【０１０７】
図６（Ｃ）は、情報表示装置２が１０時５５分を表示している図である。読取るべき「１０」の時間数字情報１２ａの境界部１２ｃは、時間読取拡張領域２０１ｂに、時間情報先順側端部２０１ｃ付近で重なって表示されている。そして、１１時００分を表示した際には、「１０」の時間数字情報１２ａの境界部１２ｃは、図６（Ａ）の「９」の時間数字情報１２ａの境界部１２ｃと同様に、時間読取拡張領域２０１ｂの時間情報先順側端部２０１ｃより、時間用円盤１１の先の順序の時間数字情報１２ａが配置された方向（時間用円盤１１の回転方向側）に位置する。換言すると、１１時００分を表示した際には、「１０」の時間数字情報１２ａの境界部１２ｃは、時間読取拡張領域２０１ｂに重ならない外側に配置されるようになる。
【０１０８】
このように構成することで、仮に、第１の実施形態の表示では、時間数字情報１２ａの上端部が時間読取拡張領域２０１ｂの範囲を越えたか否かを判別し難い場合であっても、時間数字情報１２ａの境界部１２ｃが時間読取拡張領域２０１ｂの範囲内にあるか否かによって、読取るべき時間数字情報１２ａの値が切り替わることを明確に認識させることができる。
【０１０９】
〔第６の実施形態〕
以下、本発明の情報表示装置２の第６の実施形態について図面の図７と共に説明する。なお、第１乃至５の実施形態と同様の部分については説明を省略し、異なる部分について説明する。
【０１１０】
第６の実施形態は、第５の実施形態において、第４の実施形態のように時間読取補助領域２０１および分読取補助領域２０２の読取補助領域２０以外の部分を不透明とする難視認部２４としたものである。
【０１１１】
この実施形態の場合も、図７（Ａ）〜図７（Ｃ）に示したように、正時、３０分、５５分のそれぞれの時刻の表示状態において、読取るべき時間数字情報１２ａの値を、一瞬で直感的に読むことができる。
【０１１２】
〔第７の実施形態〕
以下、本発明の情報表示装置２の第７の実施形態について図面の図８と共に説明する。なお、第１乃至６の実施形態と同様の部分については説明を省略し、異なる部分について説明する。
【０１１３】
第７の実施形態は、時間読取補助領域２０１および分読取補助領域２０２の読取補助領域２０にグラデーションを施したものである。
【０１１４】
この実施形態におけるグラデーションは、時間用円盤１１の先の順序の時間数字情報１２ａおよび分用円盤８の先の順序の分数字情報９が配置された方向（時間用円盤１１と分用円盤８の回転方向）に向かって色が濃くなるようなグラデーションとなっている。このグラデーションによって、時間用円盤１１と分用円盤８の回転方向を把握しやすくなり、読取るべき値を認識しやすくすることができる。このグラデーションも本発明の方向表示に相当する。
【０１１５】
図８においては、グラデーションの色の濃度の変化は、時間用指示線２１に対して垂直方向に離れるにしたがって色が濃くなっているようにして表している。このように近似的に円盤の回転方向をイメージさせるようにしても良い。
【０１１６】
また、時間数字情報１２ａの色とグラデーションの色とを同色系とすれば、次第に読取るべき値の先の時間数字情報１２ａの値の表示を目立たないようにすることもできる。
【０１１７】
なお、グラデーションは、時間用円盤１１と分用円盤８とに施したが、どちらか一方にしても良い。また、時間用円盤１１の先の順の時間数字情報１２ａおよび分用円盤８の先の順の分数字情報９が配置された方向（時間用円盤１１と分用円盤８の回転方向）に向かって色が薄くなるようなグラデーションを設けることも可能である。
【０１１８】
この実施形態の場合も、図８（Ａ）〜図８（Ｃ）に示したように、正時、３０分、５５分のそれぞれの時刻の表示状態において、読取るべき時間数字情報１２ａの値を、一瞬で直感的に読むことができる。
【０１１９】
〔第８の実施形態〕
以下、本発明の情報表示装置２の第８の実施形態について図面の図９と共に説明する。なお、第１乃至７の実施形態と同様の部分については説明を省略し、異なる部分について説明する。
【０１２０】
第８の実施形態は、第７の実施形態において、第４の実施形態のように時間読取補助領域２０１および分読取補助領域２０２の読取補助領域２０以外の部分を不透明とする難視認部２４としたものである。
【０１２１】
この実施形態の場合も、図９（Ａ）〜図９（Ｃ）に示したように、正時、３０分、５５分のそれぞれの時刻の表示状態において、読取るべき時間数字情報１２ａの値を、一瞬で直感的に読むことができる。
【０１２２】
〔第９の実施形態〕
以下、本発明の情報表示装置２の第９の実施形態について図面の図１０乃至図１３と共に説明する。なお、第１乃至８の実施形態と同様の部分については説明を省略し、異なる部分について説明する。
【０１２３】
第９の実施形態は、腕時計１に適用した情報表示装置２において、読取補助領域２０を風防部材３６に設けずに、時間用円盤１１と分用円盤８の後側に設けたものである。
【０１２４】
時間用円盤１１と分用円盤８とは、後側に設けた読取補助領域２０を視認できるように、透明な部材で構成されている。このため、図１０（Ｂ）に示すように、読取補助領域２０以外の部分もこれらの円盤の後側が視認でき、時間用円盤１１と分用円盤８の後側に配置されたムーブメント３０を視認することができるようになっている。図１０では、ムーブメントの説明に必要な部分だけを図示し、ムーブメントの説明が不要な部分は図示を省
略している。また、ムーブメント３０には、ムーブメント３０を構成する部品を固定するムーブメント固定金具３１が設けられる。このムーブメント固定金具３１もムーブメントの一部として視認できるようになっている。
【０１２５】
読取補助領域２０は、第１乃至第８の実施形態と同様に配置されているが、第９の実施形態では、分読取補助領域２０２の上下方向の長さが時間切替重複領域２０１ａの上下方向の長さより短くなっている。（図１３）
図１１に示すように、読取補助領域２０は、リング状をしたスペーサリング２５と一体に形成され、スペーサリング２５からその内側に延出するように設けられている。換言するとスペーサリング２５の一部分から内側に読取補助領域２０が張り出したように形成されている。そして、スペーサリング２５の内側にムーブメント固定金具３１が配置される。このため読取補助領域２０は、ムーブメント固定金具３１とは、ほぼ同じ断面高さ位置で互いに平面方向には重ならず、互いの干渉を避けるように形成されている。
【０１２６】
読取補助領域２０には、第一時間用指示線２１ａ、第二時間用指示線２１ｂ、第一分用指示線２２ａ、表示補助線２３が表示されている。第９の実施形態では、スペーサリング２５やスペーサリング２５のその内側に張り出した部分に溝を形成することで、第一時間用指示線２１ａ、第二時間用指示線２１ｂ、第一分用指示線２２ａ、表示補助線２３が表示されているが、これに限定されない。また、溝に着色が施されても良い。
【０１２７】
図１２は、第９の実施形態の腕時計１の断面図である。腕時計１を構成する情報表示装置２はケース３に収容されたものである。風防部材３６は、風防部材パッキン３７を介してケース３の開口部に嵌められている。見返しリング７は、ケース３の開口部に嵌められて、その上から風防部材３６によって押さえられている。見返しリング７とケース３とは別体となっているが、ケースと見返しリングとが一体に形成されていても良い。
【０１２８】
ムーブメント３０もケース３に収納されている。ムーブメント３０は、ケース３内で支持枠３３によって固定されている。そして、ケース３には裏蓋３４が嵌められる。裏蓋３４の係止部３４ａは、ケース３の内面に係合し、その先端で支持枠３３を押さえる構造となっている。裏蓋３４とケース３との間には裏蓋パッキン３５が介在している。
【０１２９】
ムーブメント３０から突出した駆動軸３２の分用軸、時間用軸のそれぞれには、分用円盤８、時間用円盤１１がそれぞれに取付けられている。時間用円盤１１は分用円盤８の後側（図１２において下側）に設けられている。なお、駆動軸３２には秒用軸があり秒針６が取付けられるが、図１２では、図示を省略している。
【０１３０】
時間用円盤１１とムーブメント３０との間であって、時間用円盤１１のムーブメント３０側には、読取補助領域２０と一体に形成されたスペーサリング２５が配置されている。時間用円盤１１と分用円盤８とは透明部材で構成されているので、スペーサリング２５に形成されている読取補助領域２０を視認することができる。また、スペーサリング２５の内側であって読取補助領域２０以外の部分では、ムーブメント３０も視認することができる。
【０１３１】
スペーサリング２５の外径は、ムーブメント３０の外径とほぼ同じであり、見返しリング７の内周より大きくなっている。このため、図１２に示すように、ムーブメント３０と見返しリング７とで、スペーサリング２５を挟んで固定するようになっている。
【０１３２】
このように、スペーサリング２５は、見返しリング７とムーブメント３０との間のスペーサとしても機能していることになり、本願発明のムーブメントと外装部品との間に設けられる環状スペーサに相当する。
【０１３３】
このスペーサリング２５の外径寸法や厚さを、固定された文字盤と回転する時分針とで構成される一般的な時計の文字盤の厚さと同じに設定すれば、スペーサリング２５とムーブメント固定金具３１とを固定式の文字盤に、分用円盤８を分針に、時間用円盤１１を時針に変更するだけで、他の部材を変更せずに一般的な時計に変更することができる。よって、経済的に設計の変更が行えるようになる。
【０１３４】
ムーブメント固定金具３１は、図１２では図示していないが、スペーサリング２５の内側であって読取補助領域２０と干渉しない位置に配置されている。
【０１３５】
本実施形態では、読取補助領域２０やスペーサリング２５は不透明としているが、読取補助領域２０に重なる読取るべき時間数字情報１２ａ等を強調できる程度にまで透明な部材としても良い。この場合には、当該部分においてもムーブメント３０が視認できるようになる。
【０１３６】
また、読取補助領域２０に重ならない部分のムーブメント３０の表面を時間数字情報１２ａ、分数字情報９、分目盛情報１０の色と同色系に設定すれば、読取補助領域２０以外の部分の各情報を目立たなくすることができ、第４、第６および第８の実施形態の難視認部２４と同様の作用効果を得ることができる。この場合のムーブメント３０は、複数の所定情報が読取補助領域に重なっておらず視認困難となっている部分であり、難視認部に相当する。
【０１３７】
図１３により、本実施形態の読取補助領域２０について更に具体的に説明する。
【０１３８】
本実施形態では、分読取補助領域２０２の上下方向の長さが時間切替重複領域２０１ａの上下方向の長さより短くなっている。具体的には、分読取補助領域２０２の分情報後順側端部２０２ｄは、時間切替重複領域２０１ａの時間情報後順側端部２０１ｄよりも上側に位置している。分読取補助領域２０２の分情報先順側端部２０２ｃのほぼ右半分は、分情報後順側端部２０２ｄの第一分用指示線２２ａについて線対称に位置している。時間読取拡張領域２０１ｂの時間情報先順側端部２０１ｃと分読取補助領域２０２の分情報先順側端部２０２ｃとはなだらかに接続された線形となっている。時間切替重複領域２０１ａの時間情報後順側端部２０１ｄと分読取補助領域２０２の分情報後順側端部２０２ｄとも同様になだらかに接続された線形となっている。
【０１３９】
また、読取補助領域２０は、ムーブメント固定金具３１を避けるように形成されている。
【０１４０】
図１３（Ａ）は、正時の１０時００分を表している。第一時間用指示線２１ａおよび第二時間用指示線２１ｂが「１０」の時間数字情報１２ａの上下方向の中心位置である中心部を指しており、第一分用指示線２２ａが「００」の分数字情報９に対応する分目盛情報１０を指している。
【０１４１】
この位置で、切替った時間数字情報１２ａ「１０」の先の順序の時間数字情報１２ａ「９」の一部は、時間読取拡張領域２０１ｂからはみ出している。
【０１４２】
このため、すべての部分で時間読取補助領域２０１に重なり、第一時間用指示線２１ａおよび第二時間用指示線２１ｂが上下方向の中心部を指している時間数字情報１２ａ「１０」が読取るべき時間数字情報１２ａであり、時間読取拡張領域２０１ｂからはみ出している先の順序の時間数字情報１２ａ「９」は読取るべき時間数字情報１２ａではないと認識することができる。
【０１４３】
図１３（Ｂ）は、１０時３５分を表している。第一時間用指示線２１ａおよび第二時間用指示線２１ｂが「１０」の時間数字情報１２ａの上下方向の中心位置である中心部と次の時間数字情報１２ａである「１１」の上下方向の中心位置である中心部との間を指しており、分用指示線２２が「３５」の分数字情報９に対応する分目盛情報１０を指している。
【０１４４】
この位置で、読取るべき時間数字情報１２ａの値である「１０」は、すべての部分で時間読取補助領域２０１に重なっている。また、読取るべき時間数字情報１２ａの「１０」の後の順序である時間数字情報１２ａの「１１」は、一部の部分でしか時間読取補助領域２０１に重なっていない。このため、一瞬で直感的に時間数字情報１２ａの「１０」の値を読むことができる。
【０１４５】
図１３（Ｃ）は、１０時５５分を表している。第一時間用指示線２１ａおよび第二時間用指示線２１ｂが「１０」の時間数字情報１２ａの上下方向の中心位置である中心部と次の時間数字情報１２ａである「１１」の上下方向の中心位置である中心部との間を指しており、分用指示線２２が「５５」の分数字情報９に対応する分目盛情報１０を指している。
【０１４６】
この位置で、読取るべき時間数字情報１２ａの値である「１０」は、大半の部分で時間読取補助領域２０１に重なっている。本実施形態の場合では、５５分より前の５３分頃までは「１０」が時間読取補助領域２０１に重なるようになっており、この時点までは、一瞬で直感的に時間数字情報１２ａの「１０」の値を読むことができる。
【０１４７】
先にも述べたように、必ず５９分までの読み取るべき値である「１０」が時間読取補助領域２０１に重なっている必要はなく、各種の制約条件によって、時間読取補助領域２０１は設定される。要は、時間切替重複領域２０１ａの時間用円盤１１の先の順の時間数字情報１２ａが配置された方向（時間用円盤１１の回転方向）側に時間読取拡張領域２０１ｂ設けられていれば一定の効果が生じるのである。
【０１４８】
表示補助線２３についても、第２の実施形態のように、時間用指示線２１の延長上の位置を始点として、当該時間用指示線２１に時間数字情報１２ａの中心部表示１２ｂが重なった際に当該重なった時間数字情報１２ａの先の順序の時間数字情報１２ａの中心部表示１２ｂの延長上の位置には達しない位置を終点とする長さにはなっておらず、少し円盤の回転方向へ位置が移動している。これは、表示補助線２３を、時間数字情報１２ａの上下方向の中心位置である中心部ではなく、時間数字情報１２ａの上部の位置にあわせて移動させたものである。  図１３（Ａ）における正時となった時間数字情報１２ａの「１０」の上部を外側に延長した位置で重なる部分が表示補助線２３の始点となっている。そして、図１３（Ｃ）における１０時５５分となった時間数字情報１２ａの「１０」の上部を外側に延長した位置で重なる部分が表示補助線２３の終点となっている。このように表示補助線２３を設けたので、１０時５５分において、時間数字情報１２ａの「１０」が時間読取拡張領域２０１ｂから少しはみ出したとしても、「１０」を読取らせることを補助することができる。
【０１４９】
なお、本実施形態では、スペーサリング２５に一体に形成した読取補助領域２０としたが、これに限定されない。スペーサリング２５に一体に形成しないで、ムーブメント３０に読取補助領域２０を印刷するなどして構成しても良い。そのようにすれば、読取補助領域２０をムーブメント固定金具３１との干渉を考慮しないで形成することができる。
【０１５０】
〔第１０の実施形態〕
第１乃至第９の実施形態では、時計の時間の表示に適用した場合を中心に説明したが、分の表示に適用しても良く、年月日のような日付や曜日についての表示に適用しても良い。
【０１５１】
以下に、腕時計における日付表示に本発明を適用した第１０の実施形態を説明する。説明は、従来技術を図１４によって説明し、第１０の実施形態は、図１５とともに説明する。なお、第１乃至９の実施形態と同様の部分については説明を省略し、主に異なる部分について説明する。
【０１５２】
図１４は、従来技術の腕時計における日付の表示を示したものである。図１４（Ａ）は、７日午後１１時００分を示している。図１４（Ｂ）は、７日午後１１時５０分を示している。図１４（Ｃ）は、８日午前１２時００分を示している。
【０１５３】
腕時計１は、ケース３、竜頭５、時針４１、分針４２、秒針６を有し、文字盤の三時方向の位置に日付表示窓Ｗが開口して形成されている。日付表示窓Ｗの後方には、複数の日付を示す日付数字情報４３が配置された日車４５が配置されている。そして、日付表示窓Ｗを介して、日車４５に配置された日付数字情報４３が表示されるようになっている。
【０１５４】
この従来技術の腕時計では、日車４５は以下のように回転する。
【０１５５】
午後１１時００分までは、日付数字情報４３の「７」の上下方向中心位置が日付表示窓Ｗの上下方向中心位置に配置され、日付表示窓Ｗ内には、傾いていない正立した日付数字情報４３「７」がすべて表示される。その後、日車４５が回転を開始し始めて、午後１１時５０分では、日付数字情報４３の「７」と「８」との中間位置が日付表示窓Ｗの上下方向中心位置に配置され、日付表示窓Ｗ内には、左に傾いた日付数字情報４３の「７」の下部と右に傾いた日付数字情報４３の「８」の上部が表示される。そして、午前１２時００分では、日付数字情報４３の「８」の上下方向中心位置が日付表示窓Ｗの上下方向中心位置に配置され、日付表示窓Ｗ内には、傾いていない正立した日付数字情報４３「８」がすべて表示される。
【０１５６】
使用者は、日付数字情報４３が傾いていないで正立した状態、日付数字情報４３が三時方向に位置した状態、日付数字情報４３のすべてが日付表示窓Ｗ内に含まれている状態、あるいは日付数字情報４３の上下方向の中心位置が日付表示窓Ｗの上下方向中心位置に配置されている状態を視認することで、日付数字情報４３が切替っていることを認識する。
【０１５７】
このような構成において、特に図１４（Ｂ）の午後１１時５０分に示すような状態、すなわち、日付表示窓Ｗ内に、左に傾いた日付数字情報４３の「７」の下部と右に傾いた日付数字情報４３の「８」の上部が表示された状態では、日付数字情報４３について、「７」と読むべきか「８」と読むべきかが一瞬で直感的に読取ることが難しい。
【０１５８】
そこで、第１０の実施形態では、日付表示窓に本発明の読取補助領域２０を日付読取補助領域２０３として適用し、日付数字情報４３を読取らせるのを補助している。図１５（Ａ）は、７日午後１１時００分を示している。図１５（Ｂ）は、７日午後１１時５０分を示している。図１５（Ｃ）は、８日午前１２時００分を示している。
【０１５９】
図１５に示すように、日付表示窓である日付読取補助領域２０３は、複数の日付数字情報４３のうち先の順序となる日付数字情報４３が配置される位置と後の順序となる日付数字情報４３が配置される位置との方向（図１５（Ａ）では「６」が配置される位置と「７」が配置される位置との上下方向）にわたって配置されている。日付読取補助領域２０３は、日車４５の回転方向に沿うような形状となっている。
【０１６０】
本実施形態の日付読取補助領域２０３は、本発明の読取補助領域に相当する。
【０１６１】
日付読取補助領域２０３は、日付切替重複領域２０３ａと日付読取拡張領域２０３ｂとで構成されている。
【０１６２】
日付切替重複領域２０３ａは、従来技術の日付表示窓に相当するもので、読取らせる日付数字情報４３が隣り合う日付数字情報４３のうち先の順序となる日付数字情報４３から後の順序となる日付数字情報４３に切替ったときに当該切替った日付数字情報４３の位置に重なる領域である。具体的には、図１５（Ａ）に示された状態の「７」は、先の順序となる「６」から「７」に切替った日付数字情報であり、当該切替った「７」をすべて含み「６」を含まない領域が日付切替重複領域２０３ａである。図１５（Ａ）に示すように、日付切替重複領域２０３ａの横方向の長さは、日付数字情報４３の横方向の長さより十分に長くなっている。また、日付切替重複領域２０３ａの縦方向の長さは、切替ったときに当該切替った日付数字情報４３の縦方向の長さより若干長くなっている。
【０１６３】
本実施形態の日付切替重複領域２０３ａは、本発明の切替重複領域に相当する。また、本実施形態の日車４５および日付数字情報４３は、本発明の表示部材および所定情報に相当する。
【０１６４】
日付読取拡張領域２０３ｂは、日付切替重複領域２０３ａから日車４５に配置された複数の日付数字情報４３のうち先の順序となる日付数字情報４３が配置される方向側に位置している。具体的には、図１５に示すように、日付切替重複領域２０３ａの上方に隣接し、日車４５の回転方向に沿って位置している。
【０１６５】
図１５（Ａ）乃至図１５（Ｃ）に示すように、日付読取拡張領域２０３ｂの横方向の長さは、日付切替重複領域２０３ａと同じであり日付表示窓と同じ長さで日付数字情報４３の横方向の長さより十分に長くなっている。
【０１６６】
日付読取拡張領域２０３ｂの日車４５の先の順の日付数字情報４３が配置された方向側の端部である日付情報先順側端部２０３ｃは、図１５（Ｂ）に示すように、切替った日付数字情報４３「７」が次の順の日付数字情報４３「８」に切替るために移動しても表示される位置に配置されている。
【０１６７】
本実施形態では、日付情報先順側端部２０３ｃの位置は、午後１１時５０分の日付数字情報４３の「７」と「８」との中間位置が日付切替重複領域２０３ａの上下方向中心位置に配置されたときに、左に傾いた日付数字情報４３の「７」がすべて日付読取補助領域２０３に重なるようになっている。しかしながら必ずしもこれに限定されず、適宜に設定されても良い。
【０１６８】
本実施形態の日付読取拡張領域２０３ｂは、本発明の読取拡張領域に相当する。
【０１６９】
このように日付切替重複領域２０３ａから日車４５に配置された複数の日付数字情報４３のうち先の順序となる日付数字情報４３が配置される方向側に日付読取拡張領域２０３ｂを備えているので、切替った日付数字情報４３「７」が次の順の日付数字情報４３「８」に切替るために移動しても、値を読まれるべき日付数字情報４３「７」のすべてが日付読取補助領域２０３の日付表示窓を介して視認されるようになり、一瞬で直感的に当該日付数字情報４３の値を読むことができる。
【０１７０】
日車の動きには、３つのパターンがある。一つ目は、例えば午前１２時００分などの切
替り時刻の例えば１時間前（午後１１時００分）などの所定時間前までは日車が前の日付で停止しており、その後に日車が動き始め、切替り時刻まで一定速度で回転し、切替り時刻で日車が後の日付で停止するパターンである。二つ目は、切替り時刻の所定時間前（例えば午後１１時００分）までは日車が停止しており、その後に日車が動き始め、前の日付と後の日付とが半々に見える程度（図１５（Ｂ）の状態）にまで徐々に動き、切替り時刻の直前までその状態となっており、切替り時刻となると瞬時に後の日付に切替るパターンである。三つ目は、切替り時刻直前まで日車は前の日付で停止しており、切替り時刻となると瞬時に後の日付に切替るパターンである。
【０１７１】
本第１０の実施形態は、一つ目と二つ目のパターンに適用した場合に有効であり、特に二つ目のパターンのものに適用すれば、一瞬で直感的に日付を読取ることができる。
【０１７２】
なお、本実施形態は、文字板が、不透明の部材で構成されて第４の実施形態等の難視認部２４に対応する。
【０１７３】
〔他の変形例〕
いずれの実施形態における各技術的事項を他の実施形態に適用して実施例としても良い。
【０１７４】
例えば、第９の実施形態においては、読取補助領域２０をスペーサリング２５と一体に形成したが、読取補助領域２０をスペーサリング２５と別の部材として、風防部材３６に設けても良い。
【０１７５】
本実施形態では、時間用円盤１１を回転させ、読取補助領域２０を固定させる形態であったが、これとは逆の構成にすることも可能である。例えば、図１に示した時間用円盤１１の背面側に時間用の文字板をムーブメントに固定して配置し、これに時間数字情報１２ａを図１とは逆順に記し、時間用円盤１１を透明な部材で構成して、これに時間読取補助領域２０１を半透明に形成すると良い。
【０１７６】
この構成により、時間数字情報１２ａ側が固定で、時間読取補助領域２０１側が回転することになる。分数字情報９と分読取補助領域２０２についても同様である。
【０１７７】
また、各実施形態のように、時間読取補助領域２０１を設ける円盤や分読取補助領域２０２を設ける円盤に、図１に示した時間用指示線２１および分用指示線２２を設けることもできるし、時間読取補助領域２０１を設ける円盤に、図３に示した表示用補助線２３を設けることもできる。
【０１７８】
このように、本発明は、時間数字情報１２ａ等の複数の所定情報を配置した表示部材と、読取補助領域２０を設けた部材とを相対的に移動させる情報表示装置に適用することができる。
【０１７９】
本実施形態では、時間用円盤１１と分用円盤８とを回転させ、読取補助領域を固定させる形態であった。しかし、時間数字情報や分数字情報を表面に配置したドラムを回転させるようにしたものにも適用できる。この場合には、本願発明の読取補助領域を、回転するドラムを覆う透明なカバーなどに設ける。
【０１８０】
時計だけでなく、体重計や高度計、気圧計などの情報表示装置にも適用が可能である。
【符号の説明】
【０１８１】
１          腕時計
２          情報表示装置
３          ケース
４          バンド
５          竜頭
６          秒針
７          見返しリング
８          分用円盤
９          分数字情報
１０        分目盛情報
１１        時間用円盤
１２ａ      時間数字情報
１２ｂ      中心部表示
１２ｃ      境界部
２０        読取補助領域
２０１      時間読取補助領域
２０１ａ    時間切替重複領域
２０１ｂ    時間読取拡張領域
２０２      分読取補助領域
２１        時間用指示線
２２        分用指示線
２３        表示補助線
２４        難視認部
２５        スペーサリング
２６        日付用指示線
３０        ムーブメント
３１        ムーブメント固定金具
３２        駆動軸
３３        支持枠
３４        裏蓋
３４ａ      係止部
３５        裏蓋パッキン
３６        風防部材
３７        風防部材パッキン
４１        時針
４２        分針
４３        日付数字情報
【図１】
2018036185.tif 000003
【図２】
2018036185.tif 000004
【図３】
2018036185.tif 000005
【図４】
2018036185.tif 000006
【図５】
2018036185.tif 000007
【図６】
2018036185.tif 000008
【図７】
2018036185.tif 000009
【図８】
2018036185.tif 000010
【図９】
2018036185.tif 000011
【図１０】
2018036185.tif 000012
【図１１】
2018036185.tif 000013
【図１２】
2018036185.tif 000014
【図１３】
2018036185.tif 000015
【図１４】
2018036185.tif 000016
【図１５】
2018036185.tif 000017
【図１６】
2018036185.tif 000018